(57)【特許請求の範囲】
【請求項１】
坏土流れの上流側から、主要部が２軸スクリュー部、整流部、異物除去装置部、先金押出部で構成されるセラミックハニカム用押出機において、整流部を、上流側から、坏土が通過する１つの孔部からなる、縮小部、円筒部および拡大部で構成し、縮小部の２軸スクリュー部側入口形状を２軸スクリュー部の出口形状と同一形状とするとともに、縮小部の円筒部側出口形状を円筒部の入口形状と同一形状とし、拡大部の円筒部側入口形状を円筒部の出口形状と同一形状とするとともに、拡大部の異物除去装置部側出口形状を異物除去装置部の入口形状と同一形状としたことを特徴とするセラミックハニカム用押出機。
【請求項２】
前記整流部において、内側部のみが交換・脱着できるようカセット方式とした請求項１記載のセラミックハニカム用押出機。
【請求項３】
前記整流部のカセット方式の脱着可能な形状を、２以上の部材を組み合わせて構成した請求項２記載のセラミックハニカム用押出機。
【請求項４】
請求項１〜３のいずれか１項に記載のセラミックハニカム用押出機を利用してセラミックハニカムを押出成形することを特徴とするセラミックハニカムの押出方法。
【発明の詳細な説明】
【０００１】
【発明の属する技術分野】
本発明は、坏土流れの上流側から、主要部が２軸スクリュー部、整流部、異物除去装置部、先金押出部で構成されるセラミックハニカム用押出機およびそれを利用したセラミックハニカムの押出方法に関するものである。
【０００２】
【従来の技術】
従来から、セラミックハニカムを押出成形するための押出機として、坏土流れの上流側から、主要部が２軸スクリュー部、整流部、異物除去装置部、先金押出部で構成されるセラミックハニカム用押出機が知られている。図４は従来のセラミックハニカム用押出機の一例の構成を示す図である。図４に示す例において、セラミックハニカム用押出機５１は、坏土流れの上流側から、２軸スクリュー部５２、整流部５３、異物除去装置部５４、先金押出部５５から構成されている。異物除去装置部５４は、異物除去装置６１の上流側と下流側とに、それぞれ上流側接続部６２と下流側接続部６３とを設けて構成されている。先金押出部５５は、接続部６４と金型を設置する金型部６５とで構成されている。各部はフランジ・ボルト・ナット・ネジ等々で接続されていることはいうまでもない。
【０００３】
【発明が解決しようとする課題】
図４に示すセラミックハニカム用押出機５１では、整流部５３は直径が一定の円筒形状であり、スクリュー部５２の出口形状と整流部５３の入口形状、および、整流部５３の出口形状と異物除去装置部５４の上流側接続部６２の入口形状は、それぞれ異なっていた。そのため、図５に示すように、スクリュー部５２のＡ部や上流側接続部６２のＢ部に坏土が滞留する死土部が形成される問題があった。これらの死土部は、坏土流れを阻害し、発熱を引き起こし、正常なセラミックハニカム特に近年要望の高い２ミル以下の薄壁のセラミックハニカムを押出成形できない問題があった。
【０００４】
本発明の目的は上述した課題を解消して、坏土流れをスムーズにでき発熱の心配がなく、薄壁でも正常のセラミックハニカムを押出成形できるセラミックハニカム用押出機およびそれを用いたセラミックハニカムの押出方法を提供しようとするものである。
【０００５】
【課題を解決するための手段】
本発明のセラミックハニカム用押出機は、坏土流れの上流側から、主要部が２軸スクリュー部、整流部、異物除去装置部、先金押出部で構成されるセラミックハニカム用押出機において、整流部を、上流側から、坏土が通過する１つの孔部からなる、縮小部、円筒部および拡大部で構成し、縮小部の２軸スクリュー部側入口形状を２軸スクリュー部の出口形状と同一形状とするとともに、縮小部の円筒部側出口形状を円筒部の入口形状と同一形状とし、拡大部の円筒部側入口形状を円筒部の出口形状と同一形状とするとともに、拡大部の異物除去装置部側出口形状を異物除去装置部の入口形状と同一形状としたことを特徴とするものである。
【０００６】
また、本発明のセラミックハニカムの押出方法は、上記構成のセラミックハニカム用押出機を利用してセラミックハニカムを押出することを特徴とするものである。
【０００７】
本発明では、整流部を、上流側から、縮小部、円筒部および拡大部で構成し、縮小部の２軸スクリュー部側入口形状を２軸スクリューの出口形状と同一形状とするとともに、縮小部の円筒部側出口形状を円筒部の入口形状と同一形状とし、拡大部の円筒部側入口形状を円筒部の出口形状と同一形状とするとともに、拡大部の異物除去装置部側出口形状を異物除去装置部の入口形状と同一形状とすることで、整流部の両端部に生じる死土部をなくし、薄壁でも正常なセラミックハニカムを押出成形することができる。
【０００８】
本発明の好適な具体例として、整流部において、内側のみを交換・脱着できるカセット方式とし、より具体的には、整流部のカセット方式の脱着可能な形状を、２以上の部材を組み合わせて構成する。本例では、整流部のうち摩耗した部分のみを交換でき、セラミックハニカム用押出機のメンテナンスにかかるコストを減少できるため好ましい。
【０００９】
【発明の実施の形態】
図１は本発明のセラミックハニカム用押出機の一例の構成を示す図である。図１に示す例において、本発明のセラミックハニカム用押出機１は、坏土流れの上流側から、２軸スクリュー部２、整流部３、異物除去装置部４、先金押出部５から構成されている。異物除去装置部４は、異物除去装置１１の上流側と下流側とに、それぞれ上流側接続部１２と下流側接続部１３とを設けて構成されている。先金押出部５は、接続部１４と金型を設置する金型部１５とで構成されている。以上の構成は従来のセラミックハニカム用押出機と同じ構成である。各部はフランジ・ボルト・ナット・ネジ等々で接続されていることはいうまでもない。
【００１０】
本発明のセラミックハニカム用押出機１の特徴は、整流部３を、上流側から、縮小部２１、円筒部２２および拡大部２３で構成し、縮小部２１の２軸スクリュー部側入口形状を２軸スクリュー部２の出口形状と同一形状とするとともに、縮小部２１の円筒部側出口形状を円筒部２２の入口形状と同一形状とし、拡大部２３の円筒部側入口形状を円筒部２２の出口形状と同一形状とするとともに、拡大部２３の異物除去装置部側出口形状を異物除去装置部４の入口形状（本例では異物除去装置部４の上流側接続部１２の入口形状）と同一形状とした点である。図２（ａ）に整流部３を２軸スクリュー部２側から見た図を示し、図２（ｂ）に整流部３を異物除去装置部４側から見た図を示す。
【００１１】
このように縮小部２１、円筒部２２および拡大部２３から整流部３を構成することで、整流部３の両端部に生じる死土部をなくして、発熱も防止でき、正常なセラミックハニカムを押出成形することができる。
【００１２】
次に、本発明の整流部３の構成について説明する。図３（ａ）〜（ｄ）はそれぞれ本発明のセラミックハニカム押出機１における整流部３の一例の構成を示す図である。図３（ａ）に示す例は、縮小部２１、円筒部２２および拡大部２３を一体に構成した図１にも記載した例を示している。本発明では、このように整流部３を一体に構成する以外に、図３（ｂ）〜（ｄ）に示すように、整流部３の内側のみを交換・脱着できるカセット方式にした構成、より具体的には、２以上の部材を組み合わせた構成とすることもできる。
【００１３】
すなわち、図３（ｂ）に示す例では、縮小部２１、円筒部２２および拡大部２３から構成される整流部３を、外側の外側部材３１と内側の内側部材３２の２部材から構成し、両者をキーピン／キー溝、嵌合形状、ネジ止め等の方法で固定できるよう構成している。図３（ｃ）に示す例では、整流部３を、外側の外側部材３１と内側の内側部材３２と端部の端部材３３との３部材から構成し、外側部材３１と内側部材３２・端部材３３とを横方向にスライドさせて組み合わせ、それぞれをキーピン／キー溝、嵌合形状、ネジ止め等の方法で固定できるよう構成している。図３（ｄ）に示す例では、整流部３を、外側の外側部材３１と内側の内側部材３２と中間の中間部材３４との３部材から構成し、３者を互いにキーピン／キー溝、嵌合形状、ネジ止め等の方法で固定できるよう構成している。
【００１４】
図３（ｂ）〜（ｄ）に示すように、整流部３を２以上の部材を組み合わせて構成して、カセット方式の脱着可能の構成とすることで、整流部３の坏土と接触して摩耗した部分、図３（ｂ）〜（ｄ）に示す例ではそれぞれ内側部材３２のみを交換でき、本発明のセラミックハニカム用押出機１のメンテナンスにかかるコストを減少できるため好ましい。尚、図３（ｂ）〜（ｄ）は分割の一例であり、その分割方法や分割数はいろいろと考案できるものである。例えば、図３（ｄ）では中間部材３４と外側部材３１とを一体とした２構成にすることができる。また、内部部材と端部材はその外径が成形機部のスクリュー内径より大きくしておくことは言うまでもない。もし小さければ外側部材や中間部材をも磨耗されてしまい,内部部材や端部材のみを磨耗更新する意味合いがなくなるからである。
【００１５】
【発明の効果】
以上の説明から明らかなように、本発明によれば、整流部を、上流側から、縮小部、円筒部および拡大部で構成し、縮小部の２軸スクリュー部側入口形状を２軸スクリューの出口形状と同一形状とするとともに、縮小部の円筒部側出口形状を円筒部の入口形状と同一形状とし、拡大部の円筒部側入口形状を円筒部の出口形状と同一形状とするとともに、拡大部の異物除去装置部側出口形状を異物除去装置部の入口形状と同一形状としているため、整流部の両端部に生じる死土部をなくし、薄壁でも正常なセラミックハニカムを押出成形することができる。また、整流部を交換・脱着可能なカセット式にすることで、整流部の交換部品が小型化するために整流部のメンテナンスコスト・工数・納期を減少できる。
【図面の簡単な説明】
【図１】本発明のセラミックハニカム用押出機の一例の構成を示す図である。
【図２】（ａ）は整流部を２軸スクリュー部側から見た図を示し、（ｂ）は整流部を異物除去装置部側から見た図を示す。
【図３】（ａ）〜（ｄ）はそれぞれ本発明のセラミックハニカム押出機における整流部の一例の構成を示す図である。
【図４】従来のセラミックハニカム用押出機の一例の構成を示す図である。
【図５】従来のセラミックハニカム用押出機における問題点を説明するための図である。
【符号の説明】
１  セラミックハニカム用押出機、２  ２軸スクリュー部、３  整流部、４  異物除去装置部、５  先金押出部、１１  異物除去装置、１２  上流側接続部、１３  下流側接続部、１４  接続部、１５  金型、２１  縮小部、２２  円筒部、２３  拡大部、３１  外側部材、３２  内側部材、３３  端部材、３４  中間部材
【図１】
0004489316.tif 000002
【図２】
0004489316.tif 000003
【図３】
0004489316.tif 000004
【図４】
0004489316.tif 000005
【図５】
0004489316.tif 000006